(57)【要約】【課題】通常の両替処理（正両替処理）と逆両替処理とを行うシステムの簡素化およびコスト低減と、利用者の利便性向上とを図る。【解決手段】本システムを構成する硬貨釣銭機１Ａ、紙幣釣銭機１Ｂおよび制御端末機Ｔは、それぞれ制御ユニットＣ１，Ｃ２，Ｃ３を備える。これらの制御ユニットは、通常は必要に応じて顧客からの預かり貨幣の入金と釣銭貨幣の出金とを行う「釣銭モード」の制御を行うが、両替指示手段からの両替指示があった場合には、（ａ）受入貨幣が単数であった場合に、当該受入貨幣よりも低額面の両替貨幣を当該受入貨幣と等価となる組合せで放出させる正両替処理と、（ｂ）受入貨幣が複数であった場合に、当該受入貨幣よりも高額面の両替貨幣を当該受入貨幣と等価（かつ最小構成枚数）となる組合せで放出させる逆両替処理のいずれかを行う「両替モード」の制御を行うように構成されている。【選択図】  図１
2005004346.tif 000002
【特許請求の範囲】
【請求項１】
外部から貨幣を受け入れる貨幣受入部と、
この受入部から受け入れた受入貨幣の金種を識別する貨幣識別手段と、
この識別手段による識別結果に応じて、前記受入貨幣を金種別に収納する貨幣収納部と、
この貨幣収納部に収納されている貨幣を外部に放出するための貨幣放出部と、
前記貨幣収納部に収納されている貨幣を、特定の放出条件に応じて、当該収納部から取り出して前記放出部より放出させるように制御する制御手段と、
を備え、
前記制御手段は、
（ａ）前記受入貨幣が単数であった場合に、当該受入貨幣よりも低額面の両替貨幣を当該受入貨幣と等価となる組合せで放出させる正両替処理を行い、
（ｂ）前記受入貨幣が複数であった場合に、当該受入貨幣よりも高額面の両替貨幣を当該受入貨幣と等価となる組合せで放出させる逆両替処理を行う、
ように構成されている、ことを特徴とする貨幣取扱システム。
【請求項２】
前記制御手段に対して両替指示を行う両替指示手段を更に備え、
前記制御手段は、通常は必要に応じて顧客からの預かり貨幣の入金と釣銭貨幣の出金とを行う釣銭モードの制御を行うとともに、前記両替指示手段からの両替指示があった場合には、前記（ａ）正両替処理と前記（ｂ）逆両替処理のいずれかを行う両替モードの制御を行うように構成されている、ことを特徴とする請求項１記載の貨幣取扱システム。
【請求項３】
前記制御手段は、前記（ｂ）逆両替処理において、前記両替貨幣を最小構成枚数となる組合せで放出させるように構成されている、ことを特徴とする請求項１又は２記載の貨幣取扱システム。
【発明の詳細な説明】
【０００１】
【発明の属する技術分野】
本発明は、両替処理を行えるように構成された貨幣取扱システムに関する。
【０００２】
【従来の技術】
従来、両替処理を行えるように構成された貨幣取扱システムとしては、例えば特開平６−１７６２３８号公報（特許文献１）に記載されたものがある。このシステムは、釣銭機としても機能する現金自動取引装置として構成されたものであるが、さらに両替モードへの切り換えもできるようになっている。但し、その両替モードにおいて、通常の両替処理（正両替処理）とは反対の、いわゆる逆両替処理を行うことについては開示されていない。
【０００３】
ここで、外部から受け入れた受入貨幣（例えば千円紙幣）よりも低額面の両替貨幣を当該受入貨幣と等価となる組合せ（例えば百円硬貨×１０枚）で放出させる処理が正両替処理である。また、外部から受け入れた受入貨幣（例えば百円硬貨×１０枚）よりも高額面の両替貨幣を当該受入貨幣と等価となる組合せ（例えば５百円硬貨×２枚）で放出させる処理が逆両替処理である。
【０００４】
なお、両替専用機として構成された貨幣取扱システムにおいては、操作スイッチ等で両替モードの種類を切換えることによって、逆両替処理を行えるように構成されたものも知られている。
【０００５】
【特許文献１】
特開平６−１７６２３８号公報（［００２７］、［００２８］欄）
【０００６】
【発明が解決しようとする課題】
上述したような従来の貨幣取扱システムには、次のような問題点がある。すなわち、両替モードの種類の切換えによって逆両替処理を行うような構成では、システムの複雑化やコストの増大が避けられず、またシステムを操作する利用者の利便性の点でも改善の余地がある。特に、両替専用機以外の、両替機能を有する釣銭機等として構成された貨幣取扱システムにおいては、システム構成上の余地やコストの余裕が少なく、また操作系が煩雑になりやすいため、これらの問題がより深刻なものとなる。
【０００７】
本発明は、このような点を考慮してなされたものであり、正両替処理と逆両替処理とを行う硬貨取扱システムにおいて、システムの簡素化およびコスト低減と、利用者の利便性向上とを図ることを目的とする。
【０００８】
【課題を解決するための手段】
第１の発明は、外部から貨幣を受け入れる貨幣受入部と、この受入部から受け入れた受入貨幣の金種を識別する貨幣識別手段と、この識別手段による識別結果に応じて、前記受入貨幣を金種別に収納する貨幣収納部と、この貨幣収納部に収納されている貨幣を外部に放出するための貨幣放出部と、前記貨幣収納部に収納されている貨幣を、特定の放出条件に応じて、当該収納部から取り出して前記放出部より放出させるように制御する制御手段と、を備え、前記制御手段は、（ａ）前記受入貨幣が単数であった場合に、当該受入貨幣よりも低額面の両替貨幣を当該受入貨幣と等価となる組合せで放出させる正両替処理を行い、（ｂ）前記受入貨幣が複数であった場合に、当該受入貨幣よりも高額面の両替貨幣を当該受入貨幣と等価となる組合せで放出させる逆両替処理を行う、ように構成されている、ことを特徴とする貨幣取扱システムである。
【０００９】
この第１の発明によれば、特に両替モードの種類の切換え等を行うことなく、受入貨幣の数に応じて正両替処理と逆両替処理とを自動選択的に行うことができる。
【００１０】
第２の発明は、第１の発明において、前記制御手段に対して両替指示を行う両替指示手段を更に備え、前記制御手段は、通常は必要に応じて顧客からの預かり貨幣の入金と釣銭貨幣の出金とを行う釣銭モードの制御を行うとともに、前記両替指示手段からの両替指示があった場合には、前記（ａ）正両替処理と前記（ｂ）逆両替処理のいずれかを行う両替モードの制御を行うように構成されているものである。
【００１１】
この第２の発明によれば、当該貨幣取扱システムを、釣銭機によって第１の発明のような両替処理を行うものとして構成することができる。これにより、釣銭機による両替処理を行う貨幣取扱システムにおいても、正両替処理と逆両替処理とを行う場合のシステムの複雑化やコストの増大、利用者の利便性の問題を解消ないしは軽減させることができる。
【００１２】
第３の発明は、第１又は第２の発明において、前記制御手段は、前記（ｂ）逆両替処理において、前記両替貨幣を最小構成枚数となる組合せで放出させるように構成されているものである。
【００１３】
この第３の発明によれば、多くの利用者にとって便利で、かつ迅速な逆両替処理を行うことができる。
【００１４】
【発明の実施の形態】
次に、図面を参照して本発明の一実施形態について説明する。図１及び図２は本発明による貨幣取扱システムの実施の形態を示す図である。以下、本実施形態の構成、動作、作用効果、および変形例について順次説明する。
【００１５】
［構  成］
（１）全体構成
図１には、本発明による貨幣取扱システムの一実施形態として、硬貨釣銭機１Ａ、紙幣釣銭機１Ｂおよび制御端末機Ｔの組合せからなり、店員等の係員によって操作される貨幣入出金システムが示されている。
【００１６】
硬貨釣銭機１Ａおよび紙幣釣銭機１Ｂは、それぞれ制御ユニット（制御手段）Ｃ１，Ｃ２を備えており、これらの制御ユニットＣ１，Ｃ２同士が互いに接続されている。制御端末機Ｔは、例えばＰＯＳレジスター（販売時点管理機能を有する金銭登録機）として構成されている。この制御端末機Ｔは、操作部ｔ１および表示部ｔ２と、紙幣釣銭機１Ｂの制御ユニットＣ２に接続される制御ユニットＣ３とを備えている。
【００１７】
硬貨釣銭機１Ａと紙幣釣銭機１Ｂは、それぞれ：
外部から貨幣（硬貨と紙幣）を受け入れる貨幣受入部（硬貨受入口１１４と紙幣受入口２１４）；
この受入部から受け入れた受入貨幣の金種を識別する貨幣識別手段（硬貨識別センサ１０１と紙幣識別センサ２０１）；
この識別手段による識別結果に応じて、受入貨幣を金種別に収納する貨幣収納部（硬貨収納部１０６と紙幣収納部２０６）；および
この貨幣収納部に収納されている貨幣を外部に放出するための貨幣放出部（硬貨取出口１１６と紙幣取出口２１６）を備えている。
【００１８】
本システムの制御ユニットＣ１，Ｃ２，Ｃ３は、各収納部１０６，２０６に収納されている貨幣を、特定の「放出条件」に応じて、当該収納部１０６，２０６から取り出して各取出口（放出部）１１６，２１６より放出させるように制御する。
【００１９】
また、本システムは、少なくとも１つの制御ユニットＣ１，Ｃ２，Ｃ３に対して両替指示を行う両替指示手段を備えている。この両替指示手段は、例えば、硬貨釣銭機１Ａおよび紙幣釣銭機１Ｂの操作・表示部１１２，２１２（図２）と制御端末機Ｔの操作部ｔ１の少なくとも１つに設けられた操作ボタンとして構成することができる。
【００２０】
本システムの制御ユニットＣ１，Ｃ２，Ｃ３は、通常は必要に応じて顧客からの預かり貨幣の入金と釣銭貨幣の出金とを行う「釣銭モード」の制御を行うが、上記両替指示手段からの両替指示があった場合には、次のような（ａ）正両替処理と（ｂ）逆両替処理のいずれかを行う「両替モード」の制御を行うように構成されている：
（ａ）正両替処理＝受入貨幣が単数であった場合に、当該受入貨幣よりも低額面の両替貨幣を当該受入貨幣と等価となる組合せで放出させる処理；
（ｂ）逆両替処理＝受入貨幣が複数であった場合に、当該受入貨幣よりも高額面の両替貨幣を当該受入貨幣と等価（かつ最小構成枚数）となる組合せで放出させる処理。
【００２１】
すなわち、上記「放出条件」としては、例えば、制御端末機Ｔから釣銭貨幣の出金指示があった場合や、各釣銭機１Ａ，１Ｂにおいて受入貨幣に応じて両替貨幣を出金すべき場合などが該当する。
【００２２】
以下、硬貨釣銭機１Ａおよび紙幣釣銭機１Ｂの構成について、それぞれ具体的に説明する。
【００２３】
（２）硬貨釣銭機
図１および図２に示すように、硬貨釣銭機１Ａは、前部上面に操作・表示部１１２（図２）を有する筐体１１０を備えている。筐体１１０の前部には、硬貨受入口１１４および硬貨取出口１１６が設けられている。
【００２４】
また、図１に示すように、受入口１１４から受け入れた硬貨を一層一列状態で繰り入れるための硬貨繰入機構１０２が備えられている。繰入機構１０２の後方には、この繰入機構１０２によって繰り入れられた硬貨を搬送する硬貨搬送路１０３が延びている。この搬送路１０３の途中には、硬貨の金種等を識別する硬貨識別センサ１０１と、後述するリジェクト硬貨等を排出するための硬貨排出部１０９とが設けられている。
【００２５】
排出部１０９の下方には、排出されたリジェクト硬貨等を収納する機内収納箱１０４が、筐体１１０に対して着脱自在に取り付けられている。また、筐体１１０に対する機内収納箱１０４の脱着を検知する脱着センサＳが設けられている。
【００２６】
硬貨搬送路１０３の下流側には、硬貨を金種によって選別する金種選別部１０５が設けられている。また、選別部１０５によって選別された硬貨を金種別に収納する硬貨収納部１０６と、この硬貨収納部１０６に収納された硬貨を選択的に繰り出す硬貨繰出機構１０８とが備えられている。繰出機構１０８によって繰り出された硬貨は、取出口１１６に放出されるようになっている。硬貨収納部１０６から回収した回収硬貨も、同様にして取出口１１６に放出されるようになっている。
【００２７】
以上の繰入機構１０２、排出部１０９、選別部１０５、収納部１０６および繰出機構１０８等の具体的な構成としては周知ないし公知のものを用いることができるので、詳細な説明は省略する。
【００２８】
（３）紙幣釣銭機
図１に示す紙幣釣銭機１Ｂは、筐体２１０と、この筐体２１０内の略中央部に設けられた環状の周回搬送路２０３ａとを備えている。また、筐体２１０内には、紙幣繰込ユニット２０２、紙幣収納部２０６、紙幣放出ユニット２０８、出金リジェクト部２０４および紙幣回収カセット２０７が、周回搬送路２０３ａの外周を取り囲むようにして配置されている。
【００２９】
また、繰込ユニット２０２、各収納部２０６、放出ユニット２０８、出金リジェクト部２０４および回収カセット２０７と、周回搬送路２０３ａとの間を接続する紙幣の接続搬送路２０３ｂがそれぞれ形成されている。周回搬送路２０３ａの右側部分には、そこを通過する紙幣の金種等を識別するための紙幣識別センサ２０１が設けられている。なお、周回搬送路２０３ａと各接続搬送路２０３ｂとの間で紙幣の搬送経路を切り換える経路切換手段（図示せず）が、周回搬送路２０３ａに沿って配置されている。
【００３０】
図１および図２に示すように、筐体２１０の前面には、繰込ユニット２０２に対応した紙幣受入口２１４と、放出ユニット２０８に対応した紙幣取出口２１６とが設けられている。回収カセット２０７は、筐体２１０に対して着脱自在に取り付けられている。また、筐体２１０の前部上面に操作・表示部２１２（図２）が設けられている。
【００３１】
図１において、繰込ユニット２０２は、受入口２１４に挿入された入金紙幣を導入して、それらの紙幣を周回搬送路２０３ａ側へ繰り出すためのものである。また、各紙幣収納部２０６は、識別センサ２０１による識別結果に応じて紙幣を金種別に収納するためのものであり、通常は千円紙幣用、２千円／５千円紙幣（混合）用および万円紙幣用の３つの収納部に分けて用いられる。そして、放出ユニット２０８は、各収納部２０６から取り出された紙幣を取出口２１６より放出し、それらの紙幣を外部への抜き取りに供するためのものである。
【００３２】
出金リジェクト部２０４は、後述する「出金リジェクト紙幣」を収納するためのものである。また、回収カセット２０７は、各収納部２０６から回収した紙幣を収納するためのものである。この回収カセット２０７は、後述する「オーバーフロー紙幣」を収納するためにも用いられる。なお、上記放出ユニット２０８は、後述する「入金リジェクト紙幣」が放出される入金リジェクト部をも兼ねている。
【００３３】
以上の繰込ユニット２０２、各収納部２０６、放出ユニット２０８、出金リジェクト部２０４および回収カセット２０７等の具体的な構成としては周知ないし公知のものを用いることができるので、詳細な説明は省略する。
【００３４】
［動  作］
次に、硬貨釣銭機１Ａおよび紙幣釣銭機１Ｂにおける、釣銭モードおよび両替モードに共通の基本動作と、両替モード特有の動作（具体例）について順次説明する。
【００３５】
（１）硬貨釣銭機の基本動作
（１−１）  入金／リジェクト動作
図１において、受入口１１４に投入された硬貨は、繰入機構１０２によって一層一列状態で繰り入れられる。繰り入れられた硬貨（受入硬貨）は、硬貨搬送路１０３に沿って搬送されて行き、その途中で、識別センサ１０１によって金種等を識別される。
【００３６】
その結果、金種識別等のできない硬貨があった場合、その硬貨は「リジェクト硬貨」として硬貨排出部１０９で排出され、機内収納箱１０４に収納される。また、硬貨収納部１０６が満杯となっている金種であると識別された硬貨も、「オーバーフロー硬貨」として硬貨排出部１０９で排出され、機内収納箱１０４に収納される。なお、場合によっては、硬貨排出部１０９で排出されたリジェクト硬貨等を、取出口１１６に放出するようにしてもよい。
【００３７】
その他の硬貨は、金種選別部１０５で選別され、硬貨収納部１０６に金種別に収納される。この選別の過程において、選別部１０５に設けられた計数センサ（図示せず）によって入金硬貨が計数され、これに基づいて入金額が算出される。
【００３８】
（１−２）  出金／回収動作
硬貨釣銭機は、出金すべき釣銭硬貨または両替硬貨を、金種別の硬貨収納部１０６から繰出機構１０８によって選択的に繰り出す。繰り出された硬貨は、それぞれ取出口１１６に放出される。
【００３９】
また、例えば、１日の営業が終了して、収納部１０６内の硬貨を全て、或いは売上金相当額だけ回収したい場合等にも、それらの硬貨を繰出機構１０８によって収納部１０６から繰り出して取出口１１６に放出することができる。
【００４０】
（２）紙幣釣銭機の基本動作
（２−１）  入金動作
図１において、受入口２１４に挿入された紙幣は、繰込ユニット２０２から接続搬送路２０３ｂを通じて周回搬送路２０３ａへ１枚ずつ繰り出される。周回搬送路２０３ａへ繰り出された紙幣（受入紙幣）は、当該搬送路２０３ａに沿って反時計回り方向に搬送される。周回搬送路２０３ａを搬送される紙幣は、１周する間に識別センサ２０１によって金種を識別され、対応する金種の収納部２０６に収納される。
【００４１】
（２−２）  出金動作
紙幣釣銭機は、出金すべき釣銭紙幣または両替紙幣の額に応じて以下に例示するような出金動作を行う。
【００４２】
（２−２−１）  出金額３千円（１千円）の場合
この場合、千円紙幣用の収納部２０６から繰り出された３枚（１枚）の千円紙幣が、接続搬送路２０３ｂを通じて周回搬送路２０３ａへ１枚ずつ（１枚だけ）繰り出される。周回搬送路２０３ａへ繰り出された紙幣は、周回搬送路２０３ａに沿って時計回り方向に搬送され、識別センサ２０１による金種識別を受けることなく、紙幣放出ユニット２０８へ送り込まれる。放出ユニット２０８は、３枚（１枚）の千円紙幣が送り込まれた時点で、当該紙幣を束の状態で（１枚の場合はそのまま）取出口２１６から外部へ突出させるように放出する。
【００４３】
（２−２−２）  出金額７千円の場合
この場合、まず２千円／５千円紙幣用の収納部２０６から最初の紙幣１枚だけが繰り出され、周回搬送路２０３ａに沿って時計回り方向に搬送される。この紙幣は、周回搬送路２０３ａを１周以上する間に識別センサ２０１による金種識別を受けた上で、上記（２−２−１）の場合と同様にして放出ユニット２０８へ送り込まれる。
【００４４】
最初の紙幣の金種が５千円であった場合は、残りの２千円分として千円紙幣用の収納部２０６から千円紙幣が２枚繰り出され、上記（２−２−１）の場合と同様、金種識別を経ることなく放出ユニット２０８へ送り込まれる。
【００４５】
次に、最初の紙幣の金種が２千円であった場合は、２千円／５千円紙幣用の収納部２０６から２番目の紙幣１枚だけが繰り出され、周回搬送路２０３ａにおいて金種識別を受ける。この２番目の紙幣の金種が５千円であった場合は、その５千円紙幣が放出ユニット２０８へ送り込まれ、出金動作が完了する。一方、２番目の紙幣の金種が２千円であった場合は、この２千円紙幣が放出ユニット２０８へ送り込まれると共に、残りの３千円分として千円紙幣用の収納部２０６から千円紙幣が３枚繰り出され、金種識別を経ることなく放出ユニット２０８へ送り込まれる。
【００４６】
なお、放出ユニット２０８へ送り込まれた紙幣は、いずれも上記（２−２−１）の場合と同様にして、取出口２１６から外部へ放出される。
【００４７】
（２−３）  回収動作
例えば、１日の営業が終了して、収納部２０６内の紙幣を全て、或いは売上金相当額だけ回収したい場合等には、収納部２０６から繰り出された紙幣を順次、周回搬送路２０３ａから接続搬送路２０３ｂを通じて紙幣回収カセット２０７に収納することができる。なお、いずれかの収納部２０６が満杯であるにも拘わらず、対応する金種の紙幣が更に受け入れられた場合、その紙幣は「オーバーフロー紙幣」として、周回搬送路２０３ａから接続搬送路２０３ｂを通じて回収カセット２０７に収納される。
【００４８】
（２−４）  リジェクト動作
受入紙幣の中に汚損等により識別センサ２０１による金種識別のできない紙幣があった場合、その紙幣は「入金リジェクト紙幣」として、周回搬送路２０３ａから接続搬送路２０３ｂを通じて紙幣放出ユニット２０８へ送り込まれる。また、収納部２０６から繰り出された紙幣の中に斜行等により識別センサ２０１による金種識別のできない紙幣があった場合、その紙幣は「出金リジェクト紙幣」として、周回搬送路２０３ａから接続搬送路２０３ｂを通じて出金リジェクト部２０４へ送り込まれる。
【００４９】
（３）両替モードにおける動作
硬貨釣銭機１Ａおよび紙幣釣銭機１Ｂは、「両替モード」においては上述した（ａ）正両替処理と（ｂ）逆両替処理のいずれかを行う。この場合も、上記（１）および（２）で説明した基本動作自体は共通なので、ここでは、正両替処理および逆両替処理における受入貨幣と両替貨幣の組合せの具体例を列挙する。
【００５０】
2005004346.tif 000003
【００５１】
2005004346.tif 000004
【００５２】
［作用効果］
次に、以上のように構成された本実施形態の貨幣取扱システムの作用効果について説明する。
【００５３】
本実施形態の貨幣取扱システムによれば、両替モードの場合には、特にその両替モードの種類の切換え等を行うことなく、受入貨幣の数に応じて正両替処理と逆両替処理とを自動選択的に行うことができる。このため、正両替処理と逆両替処理とを行う貨幣取扱システムの簡素化およびコスト低減と、利用者の利便性向上とを図ることができる。
【００５４】
特に、本実施形態の貨幣取扱システムによれば、釣銭機（硬貨釣銭機１Ａおよび紙幣釣銭機１Ｂ）による両替処理を行う貨幣取扱システムにおいて正両替処理と逆両替処理とを行う場合の、システムの複雑化やコストの増大、利用者の利便性の問題を、解消ないしは軽減させることができる。
【００５５】
また、逆両替処理においては両替貨幣を最小構成枚数となる組合せで放出させるように構成したことで、多くの利用者にとって便利で、かつ迅速な逆両替処理を行うことができる。
【００５６】
［変形例］
（１）上記実施形態においては、図１に示すような、硬貨釣銭機１Ａ、紙幣釣銭機１Ｂおよび制御端末機Ｔの組合せからなる貨幣入出金システムを例にとって説明したが、本発明はこれに限定されるものではない。例えば、制御端末機Ｔを省略し、硬貨釣銭機１Ａと紙幣釣銭機１Ｂの組合せを両替モードのみで運用することで、貨幣両替システムとして機能させることも可能である。また、その場合は両替指示手段を省略して、硬貨釣銭機１Ａと紙幣釣銭機１Ｂを両替専用機として用いてもよい。
【００５７】
（２）上記実施形態において、硬貨釣銭機１Ａと紙幣釣銭機１Ｂとをそれぞれ別体で構成した場合について説明したが、これらを合体させて、両替機能を有する一体型の貨幣釣銭機、ないしは一体型の両替専用機として構成してもよい。また、硬貨釣銭機１Ａまたは紙幣釣銭機１Ｂのいずれか一方のみを、硬貨または紙幣の両替機能を有する釣銭機、ないしは両替専用機として利用するようにしてもよい。
【００５８】
（３）上記実施形態の逆両替処理において、受入貨幣が同一金種の組合せである場合のみを例示したが、受入貨幣が２金種以上の組合せである場合にも対応可能とすることができる。例えば、（５千円紙幣×１枚＋千円紙幣×５枚）→（万円紙幣×１枚）のような逆両替処理を行うようにすることもできる。
【００５９】
【発明の効果】
本発明によれば、特に両替モードの種類の切換え等を行うことなく、受入貨幣の数に応じて正両替処理と逆両替処理とを自動選択的に行うことができる。このため、正両替処理と逆両替処理とを行う貨幣取扱システムの簡素化およびコスト低減と、利用者の利便性向上とを図ることができる。
【図面の簡単な説明】
【図１】本発明による貨幣取扱システムの一実施形態としての貨幣入出金システムを示すブロック図。
【図２】図１に示したシステムにおける硬貨釣銭機および紙幣釣銭機の外観を示す斜視図。
【符号の説明】
１Ａ  硬貨釣銭機
１０１  硬貨識別センサ（貨幣識別手段）
１０２  硬貨繰入機構
１０３  硬貨搬送路
１０５  金種選別部
１０６  硬貨収納部（貨幣収納部）
１０８  硬貨繰出機構
１０９  硬貨排出部
１１０  筐体
１１２  操作・表示部（両替指示手段）
１１４  硬貨受入口（貨幣受入部）
１１６  硬貨取出口（貨幣放出部）
Ｃ１  制御ユニット（制御手段）
１Ｂ  紙幣釣銭機
２０１  紙幣識別センサ（貨幣識別手段）
２０２  紙幣繰込ユニット
２０３ａ  周回搬送路
２０３ｂ  接続搬送路
２０４  出金リジェクト部
２０６  紙幣収納部（貨幣収納部）
２０７  紙幣回収カセット
２０８  紙幣放出ユニット
２１０  筐体
２１２  操作・表示部（両替指示手段）
２１４  紙幣受入口（貨幣受入部）
２１６  紙幣取出口（貨幣放出部）
Ｃ２  制御ユニット（制御手段）
Ｔ  制御端末機（ＰＯＳレジスター）
ｔ１  操作部
ｔ２  表示部
Ｃ３  制御ユニット
【図１】
2005004346.tif 000005
【図２】
2005004346.tif 000006